【手続補正書】
【提出日】令和1年10月30日(2019.10.30)
【手続補正１】
【補正対象書類名】特許請求の範囲
【補正対象項目名】全文
【補正方法】変更
【補正の内容】
【特許請求の範囲】
【請求項１】
第１の通信方式によって映像データを他の端末と通信する第１の通信機能及び前記第１の通信方式と異なる第２の通信方式によって映像データを他の端末と通信する第２の通信機能を起動可能な端末であって、
映像データの通信を行っている状態の他の端末の情報を管理する管理システムにログインした後に、前記映像データの通信を行っている状態の他の端末の情報を前記管理システムから受信する受信手段と、
前記映像データの通信を行っている状態の他の端末の情報を表示手段に表示させる表示制御手段と、
前記映像データの通信を行っている状態の他の端末と映像データによる通信を開始する前に、前記表示手段に表示された前記第１の通信機能を起動させるための第１のアイコン及び前記第２の通信機能を起動させるための第２のアイコンのうちいずれか一方の選択を受け付ける受付手段と、
前記第１のアイコンの選択が受け付けられた場合には前記第１の通信機能を起動させ、前記第２のアイコンの選択が受け付けられた場合には前記第２の通信機能を起動させる起動手段と、
を有し、
前記起動された前記第１の通信機能又は前記第２の通信機能によって前記他の端末と映像データによる通信を開始する
ことを特徴とする端末。
【請求項２】
前記表示制御手段はさらに、前記第１のアイコン及び前記第２のアイコンのうちいずれか一方の選択を受け付けるための機能選択画面を、他の端末と通信を開始する前に前記表示手段に表示させる手段を有する
ことを特徴とする請求項１に記載の端末。
【請求項３】
前記表示制御手段は、前記表示手段に表示された前記映像データの通信先である宛先候補を選択する選択画面において、前記機能選択画面を表示させることを受け付けることが可能なアイコンを表示させ、
前記受付手段によって前記アイコンの選択が受け付けられた場合には、前記表示制御手段は、前記表示手段に前記機能選択画面を表示させることを特徴とする請求項２に記載の端末。
【請求項４】
前記他の端末と音データを送受信することを特徴とする請求項１乃至３のいずれか一項に記載の端末。
【請求項５】
前記第１の通信方式は、H.264/SVCで規定される第１の映像の符号化方式を含み、前記第２の通信方式は、H.264/AVCで規定される第２の映像の符号化方式を含むことを特徴とする請求項１乃至４のいずれか一項に記載の端末。
【請求項６】
前記第２の通信機能が起動中である旨を示す稼働状態を送信する送信手段をさらに有し、
前記送信手段は、前記起動手段によって前記第１の通信機能が起動された場合には、前記第１の映像の符号化方式を用いて符号化された映像データを中継装置を介して前記他の端末に送信し、前記起動手段によって前記第２の通信機能が起動された場合には、前記第２の映像の符号化方式を用いて符号化された映像データを前記他の端末に直接送信することを特徴とする請求項５に記載の端末。
【請求項７】
前記第１の通信機能と前記第２の通信機能はいずれも同じ呼制御方式を用いて前記映像データを送受信するためのセッションを確立することを特徴とする請求項１乃至６のいずれか一項に記載の端末。
【請求項８】
前記第１の通信機能は前記端末が有する第１の通信アプリケーションによって実現され、前記第２の通信機能は前記端末が有する前記第１の通信アプリケーションとは異なる第２の通信アプリケーションによって実現されることを特徴とする請求項１乃至７のいずれか一項に記載の端末。
【請求項９】
前記端末は、テレビ会議端末であることを特徴とする請求項１乃至８のいずれか一項に記載の端末。
【請求項１０】
前記通信機能は、通話機能を含むことを特徴とする請求項１乃至９のいずれか一項に記載の端末。
【請求項１１】
前記他の端末の情報は、前記他の端末に関連付けられた宛先名であることを特徴とする請求項１乃至９のいずれか一項に記載の端末。
【請求項１２】
第１の通信方式によって映像データを他の端末と通信する第１の通信機能及び前記第１の通信方式と異なる第２の通信方式によって映像データを他の端末と通信する第２の通信機能を起動可能な端末が実行する通信機能起動方法であって、
映像データの通信を行っている状態の他の端末の情報を管理する管理システムにログインした後に、前記映像データの通信を行っている状態の他の端末の情報を前記管理システムから受信する受信ステップと、
前記映像データの通信を行っている状態の他の端末の情報を表示手段に表示させる表示制御ステップと、
前記映像データの通信を行っている状態の他の端末と映像データによる通信を開始する前に、前記表示手段に表示された前記第１の通信機能を起動させるための第１のアイコン及び前記第２の通信機能を起動させるための第２のアイコンのうちいずれか一方の選択を受け付ける受付ステップと、
前記第１のアイコンの選択が受け付けられた場合には前記第１の通信機能を起動させ、前記第２のアイコンの選択が受け付けられた場合には前記第２の通信機能を起動させる起動ステップと、
前記起動された前記第１の通信機能又は前記第２の通信機能によって前記他の端末と映像データによる通信を開始する通信開始ステップと、を含む処理
を実行することを特徴とする通信機能起動方法。
【請求項１３】
第１の通信方式によって映像データを他の端末と通信する第１の通信機能及び前記第１の通信方式と異なる第２の通信方式によって映像データを他の端末と通信する第２の通信機能を起動可能な少なくとも一つ以上の端末と、
前記映像データの通信を行っている状態の他の端末の情報を管理する管理システムと、
がネットワークを介して接続される通信システムであって、
前記端末は、
映像データの通信を行っている状態の他の端末の情報を管理する管理システムにログインした後に、前記映像データの通信を行っている状態の他の端末の情報を前記管理システムから受信する受信手段と、
前記映像データの通信を行っている状態の他の端末の情報を表示手段に表示させる表示制御手段と、
前記映像データの通信を行っている状態の他の端末と映像データによる通信を開始する前に、前記表示手段に表示された前記第１の通信機能を起動させるための第１のアイコン及び前記第２の通信機能を起動させるための第２のアイコンのうちいずれか一方の選択を受け付ける受付手段と、
前記第１のアイコンの選択が受け付けられた場合には前記第１の通信機能を起動させ、前記第２のアイコンの選択が受け付けられた場合には前記第２の通信機能を起動させる起動手段と、
を有し、
前記起動させた前記第１の通信機能又は前記第２の通信機能によって前記他の端末と映像データによる通信を開始する
ことを特徴とする通信システム。
【請求項１４】
コンピュータに、
映像データの通信を行っている状態の他の端末の情報を管理する管理システムにログインした後に、前記映像データの通信を行っている状態の他の端末の情報を前記管理システムから受信する処理と、
前記映像データの通信を行っている状態の他の端末の情報を表示手段に表示させる処理と、
前記映像データの通信を行っている状態の他の端末と映像データによる通信を開始する前に、前記表示手段に表示された第１の通信方式によって映像データを他の端末と通信する第１の通信機能を起動させるための第１のアイコン及び前記第１の通信方式と異なる第２の通信方式によって映像データを他の端末と通信する第２の通信機能を起動させるための第２のアイコンのうちいずれか一方の選択を受け付ける処理と、
前記第１のアイコンの選択が受け付けられた場合には前記第１の通信機能を起動させ、前記第２のアイコンの選択が受け付けられた場合には前記第２の通信機能を起動させる処理と、
前記起動された前記第１の通信機能又は前記第２の通信機能によって前記他の端末と映像データによる通信を開始する処理と、
を実行させることを特徴とするプログラム。
【手続補正２】
【補正対象書類名】明細書
【補正対象項目名】発明の名称
【補正方法】変更
【補正の内容】
【発明の名称】端末、通信機能起動方法、通信システム及びプログラム
【手続補正３】
【補正対象書類名】明細書
【補正対象項目名】０００４
【補正方法】変更
【補正の内容】
【０００４】
しかしながら、従来の２種類の通信方式は、通話の宛先と接続又は切断をするための呼制御方式、及び通話データを符号化するための符号化方式の両方が異なっている。つまり、従来の通話端末は、全く異なる通信方式を利用する２種類の通信機能が１つの筐体に搭載され、一方の機能を排他的に動作させるにすぎない。そのため、呼制御方式が同じで符号化方式が異なるような通信方式を利用した複数種類の通信機能を使い分けることができないという課題が生じている。
【手続補正４】
【補正対象書類名】明細書
【補正対象項目名】０００５
【補正方法】変更
【補正の内容】
【０００５】
請求項１に係る発明は、第１の通信方式によって映像データを他の端末と通信する第１の通信機能及び前記第１の通信方式と異なる第２の通信方式によって映像データを他の端末と通信する第２の通信機能を起動可能な端末であって、映像データの通信を行っている状態の他の端末の情報を管理する管理システムにログインした後に、前記映像データの通信を行っている状態の他の端末の情報を前記管理システムから受信する受信手段と、前記映像データの通信を行っている状態の他の端末の情報を表示手段に表示させる表示制御手段と、前記映像データの通信を行っている状態の他の端末と映像データによる通信を開始する前に、前記表示手段に表示された前記第１の通信機能を起動させるための第１のアイコン及び前記第２の通信機能を起動させるための第２のアイコンのうちいずれか一方の選択を受け付ける受付手段と、前記第１のアイコンの選択が受け付けられた場合には前記第１の通信機能を起動させ、前記第２のアイコンの選択が受け付けられた場合には前記第２の通信機能を起動させる起動手段と、を有し、前記起動された前記第１の通信機能又は前記第２の通信機能によって前記他の端末と映像データによる通信を開始することを特徴とする端末である。
【手続補正５】
【補正対象書類名】明細書
【補正対象項目名】０００６
【補正方法】変更
【補正の内容】
【０００６】
以上説明したように本発明によれば、呼制御方式が同じで符号化方式が異なるような通信方式を利用した複数種類の通信機能を使い分けることができるという効果を奏する。